(57)【要約】 【課題】ごみの収容や回収を安全に然も作業性よく行なうことができると共に、不使用時にはコンパクトに折り畳み得る折り畳み式物品収容装置を提供する。【解決手段】設置面５で立設される立壁部６と、立壁部６の左右側部の下端側部位に揺動可能に枢着された外揺動枠１２と内揺動枠１３とを具える。外揺動枠１２は、ダンパー８９を介して前記下端側部位に枢着され、起立状態と倒状態Ｂとの間で回動できる。ダンパー８９は、外揺動枠１２が倒状態Ｂとなる回動方向にはダンパー力を作用させるが、起立状態となる回動方向にはダンパー力を作用させない。外揺動枠１２が倒状態Ｂを呈し且つ内揺動枠１３が傾斜状態を呈した状態で、突出した部分１５の上面部分と左右の側面部分の全体を覆うように、可撓性を有するカバー材２０が被せられて収容部３が形成される。外揺動枠１２と内揺動枠１３とが起立して全体が折り畳まれる。【選択図】図１
0003172408.tif 000002
【実用新案登録請求の範囲】
【請求項１】
物品の収容部を形成する設置面で立設される立壁部と、該立壁部の左右側部の下端側部位に揺動可能に枢着された外揺動枠と、該立壁部と該外揺動枠との間に介装され且つ、該立壁部の左右側部の下端側部位に揺動可能に枢着された内揺動枠とを具えており、
該外揺動枠は、左右のアームの先端部分相互が連結バーで連結されてなる門形を呈しており該左右のアームの下端部分が、ダンパーを介して前記下端側部位に枢着されてなり、又、該外揺動枠は、起立状態と、前記設置面に重なるように倒れた倒状態との間で回動可能となされており、前記ダンパーは、該外揺動枠が該倒状態となる回動方向にはダンパー力を作用させるが該外揺動枠が起立状態となる回動方向にはダンパー力を作用させない構成のものであり、
前記内揺動枠は、アームの先端部分相互が連結バーで連結されてなる門形を呈しており、該アームの下端部分が前記下端側部位に枢着されてなり、該内揺動枠は、起立状態と、該起立状態から前記設置面に向けて所要角度回動した傾斜状態との間で回動可能となされており、
前記外揺動枠が前記倒状態を呈すると共に前記内揺動枠が前記傾斜状態を呈して該外揺動枠と該内揺動枠とが前記立壁部から突出した状態で、突出した部分の上面部分と該突出した部分の左右の側面部分の全体を覆うように、可撓性を有するカバー材が被せられており、該カバー材の内側に物品の収容部が形成される如くなされており、
前記外揺動枠と前記内揺動枠が起立方向に回動するにつれて前記カバー材が折り畳まれるようになされており、前記内揺動枠と前記外揺動枠とが起立状態を呈することによって全体が折り畳み状態となることを特徴とする折り畳み式物品収容装置。
【請求項２】
前記ダンパーは、内部にオイルが収容されたケースと、該ケース内で回動する回動軸と、該回動軸に設けられたベーンとを具える揺動ダンパーであり、該ベーンが前記オイルの粘性抵抗で制動可能に構成され、該ダンパーは、前記外揺動枠が前記倒状態となる回動方向にはダンパー力を作用させるが該外揺動枠が前記起立状態となる回動方向にはダンパー力を作用させないことを特徴とする請求項１記載の折り畳み式物品収容装置。
【請求項３】
前記カバー材の縁部分には鳩目が設けられており、該鳩目を挿通するインシュロックを用いて該縁部分を前記立壁部及び前記外揺動枠に取り付けることを特徴とする請求項１記載の折り畳み式物品収容装置。
【請求項４】
前記外揺動枠と前記内揺動枠とが起立状態において、両者の上端高さが前記立壁部の上端高さと略等しく設定されていることを特徴とする請求項１記載の折り畳み式物品収容装置。
【請求項５】
前記立壁部の前記左右側部の下端側部位に、該立壁部から突出する如く支持片部が設けられ、該支持片部の先側部位に脚部材が、上下方向でスライド可能に設けられており、該脚部材は、前記設置面に載置される座片に取付け片が設けられると共に、該座片を前記設置面に当接させた所要のスライド状態で該取付け片を前記支持片部に固定可能となされていることを特徴とする請求項１記載の折り畳み式物品収容装置。
【考案の詳細な説明】
【技術分野】
【０００１】
本考案は折り畳み式物品収容装置に関するものであり、例えばごみ収集場所に設置されることによって、使用時にはごみの収容部を形成できる一方、不使用時にはコンパクトに折り畳むことのできる折り畳み式物品収容装置に関するものである。
【背景技術】
【０００２】
各家庭で排出される生ごみ等のごみは、路上等の予め指定された収集場所に出されており、このように出されたごみはごみ収集車により回収されるのであるが、ごみ収集車が到着するまでの間にカラスや猫等がごみ袋を破ってごみを散乱させることが多い。更には、散乱したごみ上を自動車が走行する等して散乱が更に拡がり、周辺の環境を著しく悪化させる問題があった。又このように散乱すると、散乱ごみの回収作業やその後の清掃作業に多大の手間を要する問題があった。
【０００３】
このような問題点を解決すると共に、不使用時における設置スペースを削減し得る折り畳み式のごみ収容装置の一例として、揺動開閉式の折り畳み式ごみ収容装置が例えば特許文献１で提案されている。
【０００４】
該特許文献１記載の折り畳み式ごみ収容装置ａの一例は、図２０に示すように、設置面ｂで立設される長方形枠状を呈する枠状基体ｃと、該枠状基体ｃの左右側部の下端側部位ｄ，ｄに揺動可能に枢着された揺動枠体ｅを具えており、該揺動枠体ｅは、左右のアームｆ，ｆの上端相互を連結バーｇで連結してなるコ字状枠として構成されている。そして該揺動枠体ｅは図２１に示すように、立設された前記枠状基体ｃに対して９０〜１００度程度の角度に開いて前記設置面ｂに重なるように倒れた倒状態ｈを呈する一方、起立して前記枠状基体ｃの内部或いは外部に重ね合わせられた状態となるように構成されている。又、前記揺動枠体ｅが前記倒状態ｈにおいて、前記枠状基体ｃから突出した部分ｊの上面部分ｋと左右の側面部分ｍ，ｍと前記枠状基体ｃとを覆いｎで覆うようになされており、これによって、該覆いｎの内側にごみ収容部ｐが形成される如くなされている。
【０００５】
かかる構成の折り畳み式ごみ収容装置ａによるときは、該ごみ収容部ｐにごみを収容するに際しては、図２２に示すように、片方の手で前記揺動枠体ｅを持ち上げた状態で、他方の手に持ったごみ袋を前記設置面ｂに置き、その後、前記揺動枠体ｅを下方向に回動させて前記ごみ収容部ｐにごみ袋が収容された状態とする。そして、ごみ収容部ｐに収容されているごみをごみ収集車により回収するに際しては、前記揺動枠体ｅを上方向に回動させる。これによって、設置面ｂにごみだけを残して該揺動枠体ｅを持ち上げることができる。
【０００６】
一方、ごみを収容しない不使用時においては、前記覆いｎを折り畳み状態にしながら前記揺動枠体ｅを上方向に回動させ、該揺動枠体ｅを前記枠状基体ｃに重なった起立状態とし、ロック具でこの起立状態をロックして保持する。
前記構成を有する折り畳み式ごみ収容装置ａは、前記揺動枠体ｅを下方向に回動させてごみ収容部ｐを簡易に構成できると共に、前記設置面ｂの上方空間部を大きく開放させ得ることからごみの収容や回収を簡易に行ない得る利点がある一方、不使用時にはコンパクトに折り畳むことができて設置スペースを削減できる利点があった。しかしながら、ごみ収容部ｐへのごみ収容の際や収容されたごみを回収する際に、安全性の面や作業性の面において更に改善の余地があった。
【０００７】
即ち、前記折り畳み式ごみ収容装置ａによるときは、前記ごみ収容部ｐにごみを収容す
る際や、該ごみ収容部ｐに収容されているごみを回収する際は、例えば図２２に示すように、前記揺動枠体ｅを持ち上げた状態を保持して該揺動枠体ｅが手前に倒れてこないように注意しながら作業を行う必要があった。もしも手が滑って揺動枠体ｅから手が離れると、自重により下方向Ｆに勢いよく回動した揺動枠体ｅによって、前記設置面ｂと揺動枠体ｅとの間に足が挾まれたり、下方向に勢いよく回動する揺動枠体ｅで膝を打ったりする等の危険があった。又このように、片方の手で揺動枠体ｅを持ち上げつつ他方の手でごみの収容や回収を行わなければならないという無理な作業姿勢を強いられることから、ごみ収容やごみ回収を行ないにくく、作業性が悪い問題があった。
【先行技術文献】
【特許文献】
【０００８】
【特許文献１】特開２００２−４６８０１号公報
【考案の概要】
【考案が解決しようとする課題】
【０００９】
本考案は、前記従来の問題点に鑑みて開発されたものであり、使用時には拡げてごみ等の物品の収容部を形成できる一方、不使用時にはコンパクトに折り畳むことができながら、安全に然も作業性よく物品の収容や回収を行なうことができる折り畳み式物品収容装置の提供を課題とするものである。
【課題を解決するための手段】
【００１０】
前記課題を解決するため本考案は以下の手段を採用する。
即ち、本考案に係る折り畳み式物品収容装置は、物品の収容部を形成する設置面で立設される立壁部と、該立壁部の左右側部の下端側部位に揺動可能に枢着された外揺動枠と、該立壁部と該外揺動枠との間に介装され且つ該立壁部の左右側部の下端側部位に揺動可能に枢着された内揺動枠とを具えており、該外揺動枠は、左右のアームの先端部分相互が連結バーで連結されてなる門形を呈しており該左右のアームの下端部分が、ダンパーを介して前記下端側部位に枢着されてなる。又、該外揺動枠は、起立状態と、前記設置面に重なるように倒れた倒状態との間で回動可能となされており、前記ダンパーは、該外揺動枠が該倒状態となる回動方向にはダンパー力を作用させるが該外揺動枠が起立状態となる回動方向にはダンパー力を作用させない構成のものである。前記内揺動枠は、アームの先端部分相互が連結バーで連結されてなる門形を呈しており、該アームの下端部分が前記下端側部位に枢着されてなり、該内揺動枠は、起立状態と、該起立状態から前記設置面に向けて所要角度回動した傾斜状態との間で回動可能となされている。そして、前記外揺動枠が前記倒状態を呈すると共に前記内揺動枠が前記傾斜状態を呈して該外揺動枠と該内揺動枠とが前記立壁部から突出した状態で、突出した部分の上面部分と該突出した部分の左右の側面部分の全体を覆うように、可撓性を有するカバー材が被せられており、該カバー材の内側に物品の収容部が形成される如くなされており、前記外揺動枠と前記内揺動枠が起立方向に回動するにつれて前記カバー材が折り畳まれるようになされており、前記内揺動枠と前記外揺動枠とが起立状態を呈することによって全体が折り畳み状態となることを特徴とするものである。
【００１１】
前記折り畳み式物品収容装置において、前記ダンパーの一例としては、内部にオイルが収容されたケースと、該ケース内で回動する回動軸と、該回動軸に設けられたベーンを具え、該ベーンが前記オイルの粘性抵抗で制動可能となされ、該ダンパーは、前記外揺動枠が前記倒状態となる回動方向にはダンパー力を作用させるが該外揺動枠が前記起立状態となる回動方向にはダンパー力を作用させない揺動ダンパーを用いることができる。
【００１２】
前記折り畳み式物品収容装置において、前記カバー材の縁部分に鳩目を設け、該鳩目を挿通するインシュロックを用いて該縁部分を前記立壁部及び前記外揺動枠に取り付け可能
とするのがよい。
【００１３】
前記折り畳み式物品収容装置において、前記外揺動枠と前記内揺動枠とが起立状態において、両者の上端高さを略等しく設定するのがよい。
【００１４】
前記折り畳み式物品収容装置において次のように構成すると好ましい。即ち、前記立壁部の前記左右側部の下端側部位に、該立壁部から突出する如く支持片部が設けられ、該支持片部の先側部位に脚部材が、上下方向でスライド可能に設けられており、該脚部材は、前記設置面に載置される座片に取付け片が設けられると共に、該座片を前記設置面に当接させた状態で該取付け片を前記支持片部に固定可能に構成すると好ましい。
【考案の効果】
【００１５】
本考案は以下の如き優れた効果を奏する。
(1) 本考案に係る折り畳み式物品収容装置によるときは、使用時には拡げてごみ等の物品の収容部を形成できる一方、不使用時にはコンパクトに折り畳むことができながら、ごみ等の物品の収容作業を、前記ダンパーのダンパー力の作用によって、安全に然も作業性よく行なうことができ、又、収容されている物品を回収する際も、回収作業を、安全に然も作業性よく行なうことができる。
【００１６】
(2) 前記カバー材を前記立壁部や前記外揺動枠に取り付けるに際し、該カバー材の縁部分に鳩目を設け、該鳩目を挿通するインシュロックを用いて、該縁部分を該立壁部や該外揺動枠に取り付ける構成を採用するときは、カバー材が破れたり汚れたりした場合は、該インシュロックは切断によって容易に除去できるため、カバー材の交換を容易に行なうことができる。
【００１７】
(3) 前記外揺動枠と前記内揺動枠が起立状態において、両者の上端高さを前記立壁部の上端高さと略等しく設定する場合は、本考案に係る折り畳み式物品収容装置をよりコンパクトに折り畳むことができる。
【００１８】
(4) 前記立壁部の前記左右側部の下端側部位に、該立壁部から突出する如く支持片部を設け、該支持片部の先側部位に脚部材を上下方向でスライド可能に設け、該脚部材を所要のスライド状態で固定可能とする場合は、該立壁部の立設状態の安定性を、該脚部材による支持作用によって向上させることができる。
【図面の簡単な説明】
【００１９】
【図１】本発明に係る折り畳み式物品収容装置を、収容部を形成した状態で示す、前側から見た斜視図である。
【図２】その後側から見た斜視図である。
【図３】その収容部を形成した状態を、カバー材を省略して示す斜視図である。
【図４】その物品収容装置を折り畳んだ状態を、後側から見た斜視図である。
【図５】その前側から見た斜視図である。
【図６】その側面図である。
【図７】立壁部を構成する縦枠の下端側に設けた支持片部に対する外揺動枠と内揺動枠の、起立した取付け状態を、外揺動枠の下端部分を支持する揺動ダンパーと、該支持片部に取り付けられる脚部材と共に示す斜視図である。
【図８】図７に示す状態において、外揺動枠が倒状態を呈すると共に内揺動枠が傾斜状態を呈する斜視図である。
【図９】立壁部を構成する縦枠の下端側に設けた支持片部に固定された揺動ダンパーの回動軸に、外揺動枠の下端部分を取り付けた状態を示す側面図である。
【図１０】本発明に係る折り畳み式物品収容装置が収容部を形成した状態で示す側面図である。
【図１１】倒状態にある外揺動枠を折り畳み方向に回動させている状態を示す斜視図である。
【図１２】その側面図である。
【図１３】側面視で正方形状乃至長方形状を呈する収容部を形成し得る折り畳み式物品収容装置を示す側面図と、その折り畳み状態を示す側面図である。
【図１４】側面視で四分割円弧状を呈する収容部を形成する折り畳み式物品収容装置を示す側面図である。
【図１５】設置面が、立壁部を立設する部分と、収容部を形成する部分との境界部分で段差が生じている場合を示す側面図である。
【図１６】揺動ダンパーに筒状カバーを被せた状態を示す斜視図である。
【図１７】内揺動枠を、ストッパ片との係合によって所定の傾斜状態で保持する手段の一例を示す正面図である。
【図１８】立壁部の前後の両側に収容部を形成できるように構成された折り畳み式物品収容装置を、収容部が形成された状態と全体が折り畳まれた状態で示す側面図である。
【図１９】立壁部の前後の両側に収容部を形成できるように構成された折り畳み式物品収容装置の他の態様を示す側面図である。
【図２０】従来の折り畳み式物品収容装置を示す斜視図である。
【図２１】その側面図である。
【図２２】その問題点を説明する側面図である。
【考案を実施するための形態】
【実施例１】
【００２０】
図１〜４において本考案に係る折り畳み式物品収容装置１は、物品２を収容するための収容部３を形成する設置面５で立設される立壁部６と、該立壁部６の左右側部７，９の下端側部位１０，１１に回動可能に枢着された外揺動枠１２と、該立壁部６と該外揺動枠１２との間に介装されて、前記左右側部７，９の下端側部位１０，１１に回動可能に枢着された内揺動枠１３を具えている。そして該外揺動枠１２と該内揺動枠１３は、起立状態から前方に向けて下方向に回動でき、該立壁部６の前面部１４から突出した部分１５の上面部分１６と左右の側面部分１７，１９の全体を覆うように、可撓性を有するカバー材２０が被せられることによって、該カバー材２０の内側に、物品（本実施例においてはごみ袋２ａ）２を収容するための前記収容部３が形成される如くなされている。そして図４〜６に示すように、前記外揺動枠１２と前記内揺動枠１３が起立する方向に回動するにつれて前記カバー材２０が折り畳まれるようになされており、前記内揺動枠１３と前記外揺動枠１２とが起立状態を呈することによって全体がコンパクトな折り畳み状態となるようになされている。以下、これをより具体的に説明する。
【００２１】
前記立壁部６は、例えば、上下高さが約９０ｃｍで左右方向の長さが約１８０ｃｍであって、左右方向に長い長方形枠体２１を具え、図３に示すように、該長方形枠体２１の後面２２が、左右方向に屈曲を繰り返す波板２３で覆われている。該長方形枠体２１は、左右方向に所要間隔を隔てて立設された、横断面正方形状を呈する角形パイプを以てなる左右の縦枠２５，２５が、その一つの側面２６，２６を向き合わせて配設されると共に、該縦枠２５，２５の上端部位２７，２７相互は、該左右の縦枠２５，２５と同形状、同寸法の上の横枠２９で連結され、その後側面３０を前記縦枠２５，２５の後側面３１，３１と面一状態とされている。又、該縦枠２５，２５の下端寄り部位３２，３２相互と中間部位３３，３３相互は、下の横枠３５と中間の横枠３６で連結されている。該下の横枠３５と該中間の横枠３６は、横断面の一辺長さが該上の横枠２９よりも稍小さく設定され、その後側面３７，３９を前記縦枠２５，２５の前記後側面３１，３１と面一状態とされている。又、本実施例においては図１、図３に示すように、前記立壁部６の中間の横枠３６の長さ方向の中央部位４０と前記下の横枠３５の長さ方向の中央部位４１相互が繋ぎ杆４２で
連結され、前記長方形枠体２１が補強されている。
【００２２】
なお図３に一点鎖線で示すように、前記下の横枠３５と前記中間の横枠３６との間の空間部を覆うように覆い板４４を配設し且つ該覆い板４４の上下部分を中間の横枠３６、下の横枠３５にビス止め等によって固定することもある。このように配設した覆い板４４は、その前面４４ａを、例えばごみ収集に関しての注意事項等を表示するために利用できる他、該覆い板４４によって立壁部６の剛性向上を図ることもできる。又、該覆い板４４によって、収容部３に収容されたごみを後側から安定支持して、前記波板２３が後方に押されるのを防止できることにもなる。更に必要であれば、前記中間の横枠３６と前記上の横枠２９との間の空間部を覆うように別途の覆い板を配設できる。
【００２３】
これによって、左右方向に長い長方形枠体２１が構成され、該長方形枠体２１の面一状態の前記後面２２が前記のように波板２３で覆われると共に、図２に示すように、該波板２３の上縁部分４３と下端縁寄り部分４５と中間部分４６が夫々、前記上下の横枠２９，３５、中間の横枠３６にビス４７で固定されている。そして、前記左右の縦枠２５，２５の下端面４９，４９には、図２、図７〜９に示すように、例えば、左右方向に稍長い長方形板状を呈し且つ前記設置面５に載置される台座片５０，５０の基端部分５１，５１が固定されており、該下端面４９，４９から左方又は右方に突出する先側部分５２，５２には、夫々、図７に示すように、アンカーボルト５３を挿通する固定孔５５，５５が設けられている。該台座片５０，５０を該設置面５に載置した状態で、該固定孔５５，５５を挿通するアンカーボルト５３，５３を、該設置面５に埋設したインサート５６（図９）に螺合し締め付けることにより、図１〜４に示すように前記立壁部６を該設置面５に立設状態で固定できる。
【００２４】
又、図７〜８に示すように、前記左右の縦枠２５，２５の下端側５７，５７の向き合う内側面部５９，５９に、前後方向に稍長い例えば長方形板状を呈する支持片部６０，６０の後端側部分６１，６１が、該支持片部６０，６０が前方に向けて突出する状態で固定されている。
【００２５】
前記立壁部６の立設状態の安定性を向上させるために、本実施例においては図７〜８に示すように、前記立壁部６の左右側部７，９の下端側部位１０，１１に、該立壁部６から前方に突出する如く前記支持片部６０，６０が突設され、該支持片部６０，６０の先側部分（本実施例においては前端側部分）の内面側６２，６２に脚部材６４，６４が上下方向でスライド可能に設けられている。該脚部材６４は、前記載置面５に載置される座片６５に取付け片６６が設けられると共に、該座片６５を前記設置面５に当接させた状態で該取付け片６６を前記支持片６０に固定可能となされている。
【００２６】
該脚部材６４は、本実施例においては図７〜８に示すように、前記設置面５に載置される水平な座片６５の例えば一端側で取付け片６６が上方に向けて屈曲形成されたＬ字状を呈している。該座片６５の先側部分には、前記設置面５に埋設したインサート（図示せず）に螺合される固定ボルト６７を挿通させるための挿通孔６９が設けられると共に、該取付け片６６には上下方向に長い長孔７０が設けられている。そして、該長孔７０を挿通するネジ軸７１が前記内面側６２の下端で突設されている。
【００２７】
前記立壁部６を前記のように設置面５に立設状態で固定して後、前記座片６５を前記設置面５に当接させると共に、前記取付け片６６を、前記長孔７０を挿通した前記ネジ軸７１に螺合するナット７２を締め付けることによって前記支持片部６０に固定する。この状態で、前記インサートに螺合した固定ボルト６７を締め付ける。これによって、該脚部材６４による安定支持作用が付加されるため、前記立壁部６の立設状態の安定性向上を図り得ることとなる。
【００２８】
前記外揺動枠１２は図３、図７〜８に示すように、左右のアーム７３，７３の先端部分７５，７５相互を連結バー７６で連結してなる門形を呈している。該左右のアーム７３，７３は、例えば図７〜８に示すような、横断面正方形状を呈する角形パイプを以てなり、その一つの側面７７，７７を向き合わせて配置されると共に、前記連結バー７６も、横断面が同形状で同寸法の角形パイプを用い、その対向する側面７９，８０を該左右のアーム７３，７３の延長方向に向けて配置されている。
【００２９】
かかる構成を有する外揺動枠１２の左右のアーム７３，７３の下端部分８１，８１は、図７に示すように、該外揺動枠１２を起立状態で見て、下方向に突出する板状のジョイント片８２，８２とされている。又、図１〜３に示すように、該外揺動枠１２の前記連結バー７６の長さ方向の中央部位に把手８５が設けられている。該把手８５は、本実施例においては図１〜３、図１０に示すようにコ字状に屈曲形成されており、前記倒状態Ｂにある外揺動枠１２を持ち上げ易くするために前記連結バー７６から斜め前方に突出して、上端部分の手掛け８５ａが前記設置面５から浮き上がっている。そして図５（Ａ）に示すように、該コ字状の把手８５の屈曲した両端部分８６，８６が、前記起立状態Ａで見て、前記連結バー７６の上の側面８３と前の側面８４に溶接等により固定されている。
【００３０】
そして図３、図７〜８に示すように、前記左右のアーム７３，７３の下端部分（ジョイント片８２，８２）８１，８１が、前記支持片部６０の前端側８７に設けられたダンパー８９を介して該支持片部６０に枢着されている。該ダンパー８９は、例えば図９に示すような揺動ダンパー８９ａとして構成されている。該揺動ダンパー８９ａは、公知の構成を有しており、例えば、オイルが収容されたケース９０にその軸線に沿って回動軸９１が設けられ該回動軸９１は、該ケース９０の一方の側面９２から外方に突出する如くなされている。そして該回動軸９１は、その軸線回りに正逆回転可能となされ、これが正回転する際には、該回動軸９１に設けられているベーン９４が前記オイルの粘性抵抗で制動されて該回動軸９１にダンパー力が作用し、これが逆回転する際には該回転軸９１にダンパー力が作用しない構成のものである。前記外揺動枠１２の下方向への回動のスピードは、該ダンパー力を回転調整具９８（図７）で調整して行なうことができる。
【００３１】
かかる構成を有する揺動ダンパー８９ａは、前記支持片部６０の前端側８７に位置させてその内面に固定されており、前記回動軸９１は、該支持片部６０に設けた挿通孔９５を通して該支持片部６０の外方に突出する如くなされている。
【００３２】
そして該回動軸９１の先端部分９８には、図７（Ａ）、図９に示すように、前記外揺動枠１２の前記アーム７３の前記ジョイント片８２が固定されており、該外揺動枠１２が図８に示す倒状態Ｂとなる回動方向に回動する場合には、前記回動軸９１を介してダンパー力が発生するようになされる一方、該外揺動枠１２が図７に示す前記起立状態Ａとなる回動方向にはダンパー力が作用しないようになされている。然して該外揺動枠１２は、ダンパー力を受けながらゆっくりと下降し、最終的に、図８に示すように前記設置面５に重なるように倒れた倒状態Ｂを呈する。
【００３３】
前記内揺動枠１３は、図３に示すように、左右のアーム９６，９６の先端部分９７，９７相互を連結バー９９で連結してなる門形を呈しており、該連結バー９９は前記カバー材２０ａを下方から支持する。該左右のアーム９６，９６は、例えば図７〜８に示すような、横断面正方形状を呈する角形パイプを以てなり、その一つの側面１００，１００を向き合わせて配置されると共に、前記連結バー９９も、横断面が同形状で同寸法の角形パイプを用い、その対向する側面１０１，１０１を該アーム９６，９６の延長方向に向けて配置されている。そして前記左右のアーム９６，９６の下端部分１０２，１０２は、図７〜８に示すように、前記左右の支持片部６０，６０の前記揺動ダンパー８９ａの稍内側に位置
させて、ボルト１０３を用いて枢着されている。これによって内揺動枠１３は、図４〜７に示す起立状態Ｃと、前記設置面５に向けて所要角度回動した図１〜３、図５、図８に示す傾斜状態Ｄとの間で回動可能となされている。本実施例においては図４〜６に示すように、前記外揺動枠１２の前記アーム７３の長さと、前記内揺動枠１３の前記アーム９６の長さが略等しく設定されている。これによって、折り畳み式物品収容装置１を折り畳んだ状態で、前記立壁部６と前記外揺動枠１２と前記内揺動枠１３の３者の上端高さが略等しくなるため、装置全体をよりコンパクトに折り畳むことができる。
【００３４】
そして、図１〜３、図１０に示すように、前記外揺動枠１２が前記倒状態Ｂを呈すると共に前記内揺動枠１３が傾斜状態（例えば、垂直線に対して約４５度傾斜した状態）Ｄを呈して該外揺動枠１２と前記内揺動枠１３とが前記立壁部６から前方に突出した状態で、該立壁部６から突出した部分１５の上面部分１６と左右の側面部分１７，１９の全体を覆うように、可撓性を有するカバー材２０が被せられ、該カバー材２０の内側に、ごみ袋２ａ（図１０）を収容する前記収容部３が形成される如くなされている。該収容部３は、前記立壁部６と、前記設置面５が形成する底面部１０５と、該カバー材２０が形成する上面部１０６と左右の側面部１０７，１０７とから形成されている。該上面部１０６は、本実施例においては図１、図１０に示すように、前記立壁部６の上端側の縁１０９と該内揺動枠１３の先端縁１１０とを結んだ、水平線に対して下方向に約２０度傾斜した傾斜上面１１１と、該内揺動枠１３の上端縁１１０と、倒状態Ｂにある前記外揺動枠１２の先端側の縁１１２とを結んだ、水平線に対して約６６度傾斜した傾斜下面１１３とからなる。
【００３５】
前記カバー材２０としては、例えば、ネット目１１４（図１）の大きさが５〜１０ｍｍ角であるネット状のカバー材２０ａを用いることができる。該ネット状のカバー材２０ａは、本実施例においては図１、図１０に示すように、前記外揺動枠１２が前記倒状態Ｂにおいて前記突出した部分１５の左右の側面部分１７，１９を覆う左右の側面カバー片１１２，１１２と、前記傾斜上面１１１を形成する傾斜上面カバー片１１３と、前記傾斜下面１１３を形成する傾斜下面カバー片１１５とを用い、これらの相対する縁部１１６，１１６相互を縫製して袋状に形成されている。
【００３６】
そして、本実施例においては図１に示すように、かかる構成を有するネット状のカバー材２０ａの、前記立壁部６の左右縁１１７，１１７と上端縁１０９に沿う各縁部分１１９，１２０，１２１と、倒状態Ｂにある前記外揺動枠１２の左右のアーム７３，７３と前記連結バー７６に沿う各縁部分１２２，１２３，１２５は布状の縁片１２６を以て形成されており、該縁片１２６には、所要間隔を置いて鳩目１２７が設けられている。該カバー材２０ａは、図１、図１０に示すように、該鳩目１２７を挿通するインシュロック１２９や紐等の結着具１３０を用いて前記立壁部６や前記外揺動枠１２に取り付けられている。ここにインシュロック１２９とは、可撓性を有し且つ長さ方向に第１係合部が並設されてなる帯状片の一端に、係合孔を有する係合体が設けられ、該帯状片をループ状に屈曲させ且つ該帯状片を該係合孔に挿通させ、該係合孔に設けられた第２係合部を前記第１係合部に係合させることによって該帯状片のループ状部分の長さを固定できるようになされた公知のものである。
【００３７】
又、前記側面カバー片１１８，１１８と前記内揺動枠１３の前記左右のアーム９６，９６や、前記上面部１０６と前記内揺動枠１３の前記連結バー９９も、前記ネット目１１４を挿通するインシュロック１２９や紐等の結着具１３０を用いて該内揺動枠１３に取り付けられている。このように、カバー材２０をインシュロック１２９を用いて前記立壁部６や前記外揺動枠１２、前記内揺動枠１３に取り付ける構成を採用する場合は、カバー材２０が破れたり汚れたりした場合は、該インシュロック１２９は切断によって容易に除去できるため、カバー材２０の交換が容易である。若しも、該カバー材２０を立壁部６や外揺動枠１２等にビス止めによって取り付ける場合は、カバー材２０の交換に多くの手間を要
することとなって好ましくない。
【００３８】
図１〜２、図１０は、折り畳み式物品収容装置１が収容部３を形成した状態を示すものであり、前記立壁部６が道路脇等で立設され、前記外揺動枠１２が、車道面等である前記設置面５に重なるように倒れた倒状態Ｂにあり、前記内揺動枠１３は、前記傾斜上面１１１が張った状態で、前記所要の傾斜角度で停止している。該収容部３の前後方向の幅は、例えば約９０ｃｍに設定されている。
【００３９】
然して、倒状態Ｂにある前記外揺動枠１２を前記把手８５の手掛け８５ａに手を掛けて持ち上げると、図１１〜１２に示すように、前記左右のアーム７３，７３が上方向Ｆ１に回動する。この持ち上げの際はダンパー力が作用しないため、揺動ダンパー８９ａを損傷することなく容易に持ち上げることができる。該外揺動枠１２の持ち上げ角度を大きくしていくにつれ、前記ネット状のカバー材２０ａは順次折り畳まれる。ある程度持ち上げた後は、該外揺動枠１２と共に前記内揺動枠１３も、その左右のアーム９６，９６が上方向に回動しながら前記立壁部６に対して折り畳まれていく。このようにして該外揺動枠１２と該内揺動枠１３と該カバー材２０が順次折り畳まれて、最終的には、図４〜６に示すように、内揺動枠１３と外揺動枠１２とが起立状態を呈することによって装置全体がコンパクトな折り畳み状態となる。この折り畳み状態で、例えば図５（Ｂ）に示すように、前記外揺動枠１２の前記連結バー７６に設けた第１のロック片１３１と、前記立壁部６の上面１３２に設けた第２のロック片１３３とを係合させることにより、図４〜６に示す折り畳み状態を保持できる。該折り畳まれた状態では、側面視の幅を小さくできるため、交通等の障害となることが殆どない。
【００４０】
ごみ収集日においては、前記第１、第２のロック片１３１，１３３の係合状態を解除して前記外揺動枠１２をその自重によって下方向Ｆ２に回動させる。この下方向への回動は、前記揺動ダンパー８９ａのダンパー力の作用によってゆっくりと行なわれ、最終的に、前記設置面５に重なるように倒れた倒状態Ｂを呈し、これによって物品の収容部３が形成されることになる。該収容部３にごみ袋２ａを収容するに際しては、前記把手８５を持って該外揺動枠１２をある程度（前記設置面５に対して例えば７５度程度）持ち上げて、図１１〜１２に示すように、ごみの収容開口部１３５を形成する。その後、該収容開口部１３５を通して、収容部３となる空間部分３ａにごみ袋２ａを入れ、該収容部の底面部（設置面５）１０５や、既に収容されているごみ袋２ａの上にごみ袋２ａを積み上げるのであるが、このようにごみ袋２ａを置く際に前記把手８５から手を離したとしても、前記外揺動枠１２は前記ダンパー力の作用を受けてゆっくりと下降するだけであり、従来のように外揺動枠１２がその自重によって下方向に勢いよく回動するということがない。該外揺動枠１２が前記倒状態Ｂを呈するのに、例えば１０〜１５秒程度の時間に設定できる。該外揺動枠１２が下がって該収容開口部１３５が小さくなったときは、必要に応じて、外揺動枠１２を再度持ち上げることができる。この持ち上げの際はダンパー力が作用しないため、持ち上げを容易に行なうことができる。
【００４１】
このように外揺動枠１２を持ち上げた後、該外揺動枠１２から手を離しても危険がないため、従来のように、片方の手で外揺動枠１２を持ち上げ続けながら他方の手でごみ袋２ａを設置面５等に置かなければならないといったことがなく、前記収容部３に、両手を使って無理のない姿勢でごみ袋２ａを収容できる。この収容には、前記のように十分な時間を確保できる。そして、かかるごみ収容作業中に該外揺動枠１２が設置面５近くまで下がって来たとしても、外揺動枠１２はゆっくりと下降するため、外揺動枠１２が閉止するまでの間に足や膝を引くことができる。仮に気づかないで外揺動枠１２が足や膝に当たったとしても足等を怪我する恐れがない。又、前記収容部３内への収容ごみの量が多くなって、収容部３からごみ袋２ａの一部分が食み出したり食み出し傾向となった場合は、後からごみを収容する人が、前記外揺動枠１２を少し持ち上げてごみ袋２ａを足で押し込むこと
が考えられるが、この場合も、ダンパー力が作用して外揺動枠１２がゆっくりと閉じるため該外揺動枠１２が足に当っても安全である。なお、前記空間部３ａにごみ袋２ａを入れ始めにおいては、前記外揺動枠１２を起立状態Ａにしてごみ袋２ａを設置面５に置くこともできるが、ごみの量が多くなるにつれ、該外揺動枠１２を起立状態Ａにするのが難しくなるので、通常は、前記のように、外揺動枠１２をある程度持ち上げてごみ袋２ａを収容せざるを得なくなる。
【００４２】
該外揺動枠１２が閉じて該収容部３に収容状態にあるごみ袋２ａは、ネット状のカバー材２０ａで覆われた状態となるため、カラス等の鳥や猫等がごみ袋を破ってごみをあさる等の被害を防止できることになる。そして外揺動枠１２は重りの役割を発揮し、収容部３を形成するカバー材２０の縁部分が風で煽られてばたつくのを防止できる。
【００４３】
このようにして収容部３に収容されたごみを回収するに際しては、前記把手８５を持って前記外揺動枠１２をある程度持ち上げてごみの回収開口部を形成する。ごみ回収時において、このように外揺動枠１２を上方向に回動させれば、設置面５にごみ袋２ａだけが置かれた状態となるため、ごみを容易に回収できる状態となる。該回収開口部からごみ袋２ａを取り出すのであるが、この際、該把手８５から手を離したとしても前記外揺動枠１２は前記ダンパー力の作用を受けてゆっくりと下降するので、該外揺動枠１２が閉止するまでの間に、両手を使って無理のない姿勢でごみ袋２ａを回収できる。回収作業の際に前記外揺動枠１２が作業者の足や膝に当たったとしても足等を怪我する恐れがない。なお、ごみ回収の際、収容されているごみの量がそれほど多くなく、前記外揺動枠１２を起立状態Ａにするのがさして難しくなければ、起立状態Ａにするのが好ましい。
【実施例２】
【００４４】
図１３（Ａ）は、折り畳み式物品収容装置１の他の実施例を示すものであり、前記外揺動枠１２が倒状態Ｂで、上面部１３６が略水平面を呈すると共に前面部１３７が略垂直面を呈する収容部３が形成される如くなされている。そのために、前記内揺動枠１３を構成する左右のアーム９６，９６の長さを実施例１に比して長く設定している。このように構成した場合は、図１３（Ｂ）に示すように、該外揺動枠１２と該内揺動枠１３を、これらが起立状態Ａ、起立状態Ｃを呈するように折り畳んだ状態で、該内揺動枠１３の上端側部分１３ａが該外揺動枠１２の上端１３９から稍大きく上方に突出した状態となる。このように構成する場合は、側面視で正方形状乃至長方形状を呈する収容部３を形成でき、側面視で四分割円弧状を呈する実施例１に係る収容部３に比して収容容積を増大させることができる。
【実施例３】
【００４５】
本考案は、前記実施例で示したものに限定されるものでは決してなく、「実用新案登録請求の範囲」の記載内で種々の設計変更が可能であることはいうまでもない。その一例を挙げれば次のようである。
【００４６】
(1) 図１４は、収容部３が側面視で四分割円弧状を呈する場合において、内揺動枠１３を、間隔を置いて複数本（例えば２本）配設した場合を示している。かかる構成を有する折り畳み式物品収容装置１も、前記と同様にして、外揺動枠１２と内揺動枠１３，１３が起立した折り畳み状態となし得る。かかる構成は、側面視で正方形状や長方形状を呈する収容部３を構成する場合においても採用できる。内揺動枠１３をこのように複数本配設する場合は、例えば降雪地域において、雪の重量に対する耐力を向上させることができて好ましい。
【００４７】
(2) 図１５は、前記立壁部６を、例えば歩道と車道の境界部分に配設される境界ブロック１４０の上面１４１（前記設置面５の一部）で立設した場合を示している。該境界ブロッ
ク１４０の高さによって、収容部３を構成する設置面５と該上面１４１との間に段差１４１が生ずるため、折り畳み式物品収容装置１の立設状態の安定性を向上させるために、前記脚部材６４の前記取付け片６６を下方にスライドさせて前記座片６５を前記設置面５に当接させる。この状態で、該取付け片６６を、前記長孔７０を挿通した前記ネジ軸７１（図７）に螺合するナット７２を締め付けることによって前記支持片部６０に固定する。この状態で、前記インサートに螺合した固定ボルト６７を締め付ける。これによって、該脚部材６４による安定支持作用が付加されるため、前記立壁部６の立設状態の安定性向上を図り得ることとなる。
【００４８】
(3) 図１６は、前記揺動ダンパー８９ａを雨水から保護するために該揺動ダンパー８９ａに筒状カバー１４２を被せた状態を示している。このように筒状カバー１４２を被せた状態でも、傾斜状態の内揺動枠１３が該筒状カバー１４２に当たらないようになされている。
【００４９】
(4) 前記ダンパー８９としては、前記外揺動枠１２が前記倒状態Ｂとなる回動方向にはダンパー力を作用させるが該外揺動枠１２が起立状態Ａとなる回動方向にはダンパー力を作用させない各種構成のものを採用できる。例えば、オイル等の流体の粘性抵抗で回動軸の回動運動に制動力を作用させるダンパーや、エア又はガス等を圧縮して回動軸の回動運動に制動力を作用させるダンパー、摩擦抵抗によって回動軸の回動を抑制するダンパー等を用いることができる。
【００５０】
(5) 前記カバー材２０としては、前記外揺動枠１２や前記内揺動枠１３が上方向に回動（起立状態となる方向に回動）としてするにつれて容易に折り畳まれる可撓性を有するものであって、繰り返しの折り畳みに耐え得る素材からなるものを用いる。例えば、前記したネット状を呈するものや、シート状を呈するもの等を用いることができる。
【００５１】
(6) 前記立壁部６や前記外揺動枠１２、前記内揺動枠１３は、前記した角形パイプを用いて構成されることの他、円形パイプや断面Ｌ字状のアングル材等を用いて構成でき、又、折り畳み式物品収容装置１の強度を確保できる限り、金属の他、樹脂等を用いて構成することもできる。
【００５２】
(7) 前記外揺動枠１２は、その倒状態Ｂにおいて、その略全体が設置面５に当接するように重なる他、設置面５の傾斜状態や凹凸状態等によっては、少なくともその一部分が設置面５に当接した状態で該設置面５に重なるものである。
【００５３】
(8) 前記内揺動枠１３の前記連結バー９９は、前記のようにカバー材２０ａを下方から支持するのであるが、該内揺動枠１３を起立状態で見て、該連結バー９９を上に稍突のアーチ状に形成すると、該連結バー９９の剛性を増大でき、該カバー材２０ａの支持状態の安定性向上を期し得ることとなる。
【００５４】
(9) 前記実施例においては、前記内揺動枠１３を所定の傾斜状態で保持する手段として、インシュロックを介し、前記カバー材２０の張力による保持手段を採用しているが、例えば図１７に示すように、前記左右のアーム９６，９６の下端部分１０２，１０２が、前記立壁部６の左右側部７，９に設けられた（例えば前記支持片部６０に設けられた）ストッパ片１４３との係合によって所定の傾斜状態で保持する等の手段を採用することもできる。
【００５５】
(10)前記外揺動枠１２の左右のアーム７３，７３の下端部分８１，８１と、前記内揺動枠１３の左右のアーム９６，９６の下端部分１０２，１０２は、同一の軸に枢着されてもよい。
【００５６】
(11)本考案に係る折り畳み式物品収容装置１は、前記したごみ収容装置として応用されることの他、例えば、建設現場において建設資材を一時的に保管するために利用でき、或いは各種イベントにおいて、イベント用具を一時的に保管するため等にも応用できる。
【００５７】
(12)図１８（Ａ）、図１９（Ａ）は、前記立壁部６の前後の両側に前記収容部３，３を形成できるように構成された折り畳み式物品収容装置１を示している。この場合も前記と同様に、前記外揺動枠１２の左右のアーム７３，７３の下端部分８１，８１が、前記と同様構成のダンパー８９，８９を介して前記立壁部６の左右側部７，９の下端側部位１０，１１に枢着されている。そして図１８（Ｂ）、図１９（Ｂ）は、該折り畳み式物品収容装置１が前記外揺動枠１２と前記内揺動枠１３が起立した折り畳み状態を示している。
【００５８】
(13)前記脚部材６４は、前記支持片部６０に上下方向でスライド可能に設けられて、所要のスライド状態で該支持片部６０に固定可能となされておればよいのであり、例えば該支持片部に設けた案内溝部に案内されて上下方向でスライドでき、公知の各種固定手段で該支持片部に固定可能となされるものであってもよい。
【符号の説明】
【００５９】
１  折り畳み式物品収容装置
２  物品
２ａ  ごみ袋
３  収容部
５  設置面
６  立壁部
１２  外揺動枠
１３  内揺動枠
１５  突出した部分
２０  カバー材
５０  台座片
６０  支持片
６４  脚部材
６５  座片
６６  取付け片
７０  長孔
７１  ネジ軸
８９  ダンパー
８９ａ  揺動ダンパー
９０  ケース
９１  回動軸
９４  ベーン
１２６  縁片
１２７  鳩目
Ａ  外揺動枠の起立状態
Ｂ  外揺動枠の倒状態
Ｃ  内揺動枠の起立状態
Ｄ  内揺動枠の傾斜状態
【図１】
0003172408.tif 000003
【図２】
0003172408.tif 000004
【図３】
0003172408.tif 000005
【図４】
0003172408.tif 000006
【図５】
0003172408.tif 000007
【図６】
0003172408.tif 000008
【図７】
0003172408.tif 000009
【図８】
0003172408.tif 000010
【図９】
0003172408.tif 000011
【図１０】
0003172408.tif 000012
【図１１】
0003172408.tif 000013
【図１２】
0003172408.tif 000014
【図１３】
0003172408.tif 000015
【図１４】
0003172408.tif 000016
【図１５】
0003172408.tif 000017
【図１６】
0003172408.tif 000018
【図１７】
0003172408.tif 000019
【図１８】
0003172408.tif 000020
【図１９】
0003172408.tif 000021
【図２０】
0003172408.tif 000022
【図２１】
0003172408.tif 000023
【図２２】
0003172408.tif 000024